(57)【要約】【課題】簡単に、しかも任意の長さのループ状のバンドを作成することができるバンド手織り機を提供すること。【解決手段】  手織りでループ状のバンドＢを織る、以下の要件を備えることを特徴とするバンド手織り機Ａ。（イ）織機本体１の前後にリング状に繋いだたて糸４を掛け渡す２本のローラー２、３を着脱可能、且つ回転可能に配設したこと（ロ）上記ローラー２、３の周面に軸方向に直交して複数の凹溝３０、３１を周設するとともに、該凹溝３０、３１を軸方向に等間隔に配置したこと（ハ）上記たて糸４を上記２本のローラー２、３の凹溝３０、３１にそれぞれ係合させて掛け渡し、シャトル５を使用してよこ糸６を上記たて糸４に織り込むようにしたこと【選択図】図１
2005163192.tif 000002
【特許請求の範囲】
【請求項１】
手織りでループ状のバンドを織る、以下の要件を備えることを特徴とするバンド手織り機。
（イ）織機本体の前後にリング状に繋いだたて糸を掛け渡す２本のローラーを着脱可能、且つ回転可能に配設したこと
（ロ）上記ローラーの周面に軸方向に直交して複数の凹溝を周設するとともに、該凹溝を軸方向に等間隔に配置したこと
（ハ）上記たて糸を上記２本のローラーの凹溝にそれぞれ係合させて掛け渡し、シャトルを使用してよこ糸を上記たて糸に織り込むようにしたこと
【請求項２】
前記織機本体は前後に分割した二部材で構成し、一方の部材を他方の部材に摺動可能に連結し、前記２本のローラーの間隔を変更できるようにした、請求項１記載のバンド手織り機
【発明の詳細な説明】
【技術分野】
【０００１】
本発明は、バンド手織り機、詳しくは織機本体に配設した２本のローラーにリング状に繋いだたて糸を複数掛け渡し、このたて糸によこ糸を織り込んでバンドを製作するバンド手織り機に関するものである。
【背景技術】
【０００２】
従来、平行して張られたたて糸の間をシャトルを使ってよこ糸をたて糸の上下を交互に通し織物を織る小型の織物装置は様々なものが提案されているが、卓上で簡単に織物ができる織物装置が提案されている（例えば、特許文献１）。
【０００３】
この織物装置は、本体枠の前後端に設けた糸掛け部にたて糸を掛け渡し、このたて糸にシャトルを使ってよこ糸を織り込んでいく操作を繰り返すことにより織物を作ることができるようにしたものである。
【特許文献１】特開平１１−２４２４２６号公報
【発明の開示】
【発明が解決しようとする課題】
【０００４】
しかしながら、上述の織物装置では平織りの織物を織ることはできるが、リストバンドやヘアーバンド等のループ状のバンドを作ることができない問題があった。
【０００５】
本発明は上記問題点を解消し、簡単に、しかも任意の長さのループ状のバンドを作成することができるバンド手織り機を提供することをその課題とする。
【課題を解決するための手段】
【０００６】
前記課題を解決するため、本発明に係るバンド手織り機は、手織りでループ状のバンドを織る、以下の要件を備えることを特徴とする。
（イ）織機本体の前後にリング状に繋いだたて糸を掛け渡す２本のローラーを着脱可能、且つ回転可能に配設したこと
（ロ）上記ローラーの周面に軸方向に直交して凹溝を周設するとともに、該凹溝を軸方向に等間隔に複数形成したこと
（ハ）上記たて糸を上記２本のローラーの凹溝にそれぞれ係合させて掛け渡し、シャトルを使用してよこ糸を上記たて糸に織り込むようにしたこと
【０００７】
なお、前記織機本体を前後に分割、且つ摺動可能に連結した二部材で構成し、一方の部材に一方のローラーを、他方の部材に他方のローラーを取着し、前記２本のローラーの間隔を変更できるようにすることが好ましい。
【発明の効果】
【０００８】
請求項１の発明によれば、２本のローラーを織機本体に着脱可能に設けるとともに、ローラーに等間隔に凹溝を周設したので、たて糸を均一の間隔でセットすることができるとともに、好みの本数のたて糸をセットすることにより好みの幅のバンドを作成することができる。
【０００９】
請求項２の発明によれば、リング状のたて糸の長さに合わせて２本のローラーの間隔を変えることができるので、任意の長さのバンドを織ることができるバンド手織り機を提供することができる。
【発明を実施するための最良の形態】
【００１０】
織機本体にリング状に繋いだたて糸を掛け渡す２本のローラーを所定間隔をおいて着脱可能、且つ回転可能に配設するとともに、上記ローラーの周面に軸方向に直交して周設された凹溝を軸方向に等間隔に複数形成し、上記たて糸を上記２本のローラーの凹溝にそれぞれ係合させて掛け渡し、シャトルを使用してよこ糸を上記たて糸に織り込むことによりループ状のバンドを作成できるようにした。
【実施例１】
【００１１】
図１は、本発明に係るバンド手織り装置の一例を示し、このバンド手織り装置Ａは織機本体１の前後方向両端部にローラー２、３を取り付け、このローラー２、３にリング状にした複数のたて糸４を掛け渡し、このたて糸４にシャトル５を使用してよこ糸６を織り込むことによりループ状のベルトＢを手作りできるようにしたものである。
【００１２】
織機本体１は、図２に示すように、前部材１０と後部材１１との２部材から構成され、後部材１１に対し前部材１０を前後に摺動可能に連結したものである。前部材１０と後部材１１との両側部にはそれぞれ縦枠１２、１３が形成されこの縦枠１２、１３はそれぞれ横枠１４、１５で連結され基板上１６、１７に安定した状態で立設している。そして、上記縦枠１２、１３の上端面にはそれぞれローラー２、３の軸部２０、２１を支持する軸受け部２２、２３が略Ｕ字状に切り欠かかれて形成されている。
【００１３】
図３（ａ）に示すように、上記後部材１１の基板１７上には前後方向に２本の長孔２５が平行して形成され、この長孔２５には前部材１０の基板１６の裏面に突出形成された係合軸２６が係合し、この係合軸２６の先端を上記長孔２５を貫通して、後部材１１の裏面に露出させ、係合軸２６を図示しないネジで後部材１１に固定し、前部材１０と後部材１１とが分離しないようにするとともに、後部材１１に対し前部材１０が前後に摺動させることができるようになっている（図３（ｂ）参照）。
【００１４】
なお、後部材１１の裏面から上記鍔部材が突出しないように、裏面の長孔の周囲は図示しない凹部が形成されていればよい。
【００１５】
ローラー２、３は周面に複数の凹溝３０、３１が軸方向に直交して周設されるとともに、軸方向に等間隔に形成されたローラー部３２、３３と、ローラー部の両端に軸部２０を介して設けられたダイヤル３４、３５とからなり、上記織機本体１の軸受け部２２、２３に着脱可能に取り付けられるとともにダイヤル３４、３５を手回しすることによりローラーを２、３回転させることができるようになっている。
【００１６】
なお、図１において、符号５はシャトルを示し、このシャトル５は先端に向かって先細りに形成され、後端部にはよこ糸６を通す通し孔３６が形成されている。また、符号３７はクシを示し、クシ３７の歯３８をたて糸４にあわせて織り目を整列させるときに使用するものである。
【００１７】
次に、上記構成のバンド手織り機の使用態様について説明する。
【００１８】
先ずたて糸４（本発明では、伸び縮みするバンドを作成するためにゴムひもを使用）を作成対象のバンド（例えばリストバンドやヘアーバンド等）に合わせて長さを設定し、両端を結ぶ、又は縫い付けなどで繋いでリング状のたて糸４を作成する。この繋ぎ目を隠すために半球状で中空のカバー部材７を繋ぎ目の両側から被せて取り付ける。
【００１９】
このようにして作成したたて糸４を２本のローラー２、３に掛け渡す。この際バンドの幅に合わせてたて糸４の本数を設定すればよい。このたて糸４を掛け渡したローラーは装置本体の縦枠１２、１３に形成された軸受け２２、２３にセットすればよい。
【００２０】
次に、前部材１０を前方にスライド移動させ、たて糸４が緊張した状態で前部材１０の係合軸２６をネジで後部材１１に固定し、後部材１１に前部材１０を固定すればよい。
【００２１】
前部材１０を後部材１１に固定した後、たて糸４をローラ２、３の凹溝３０、３１に合わせて平行に並べて整列させる。次に、クシ３７でたて糸４の繋ぎ目を覆うカバー部材７を横一直線に整列させ、たて糸４の織機本体１へのセットを完了する。
【００２２】
次に、シャトルの通し孔によこ糸６を通し、図５に示すように、シャトルを使用してたて糸４の上下を交互に通してよこ糸６をたて糸４に織り込んでいく。途中で、クシ３７で織り込んだよこ糸６を整列させればよい。ある程度よこ糸６が織り込まれたら、ダイヤル３４、３５を回してローラー２、３を回転させ、織り込み部分を先に送ってから改めてシャトルを使ってよこ糸６をたて糸４に織り込んでいけばよい。
【００２３】
よこ糸６を織り込んで織物がベルト状になったら、ローラーを織物と一緒に織機本体１から外し、織物とローラーとを分離すればループ状のベルトＢが完成する。
【図面の簡単な説明】
【００２４】
【図１】本発明に係るバンド手織り機の構成を説明する斜視図
【図２】織り機本体とローラーとの関係を説明する斜視図
【図３】（ａ）（ｂ）は織り機本体の構成を説明する斜視図
【図４】上記織り機本体にたて糸を掛け渡したローラーをセットする状態を説明する斜視図
【図５】たて糸によこ糸を織り込む方法の説明図
【符号の説明】
【００２５】
１    織り機本体
２、３    ローラー
４    たて糸
５    シャトル
６    よこ糸
３０、３１    凹溝
Ａ    バンド手織り機
Ｂ    バンド
【図１】
2005163192.tif 000003
【図２】
2005163192.tif 000004
【図３】
2005163192.tif 000005
【図４】
2005163192.tif 000006
【図５】
2005163192.tif 000007